(57)【要約】  提供されるディスプレイパネルの駆動方法は、Ｄｅｍｕｘ回路内のスイッチのオン／オフ状態の信号をスイッチ信号として制御し、スイッチ信号の各立ち上がり期間を２つのフェーズ（Ｔ、Ｔ１）に分割し、これにより、ディスプレイパネルの両側位置とディスプレイパネルの中央位置に発生する電圧の急激な変化の効果は、比較的均一になり、異なる位置におけるディスプレイパネルの帯電効果が実質的に同じになることが保証され、ディスプレイパネルの輝度は、駆動された後でも均一になり、ディスプレイパネルの列方向の輝線の問題が効果的に改善される。【選択図】図８
2019537070.tif 000002
【特許請求の範囲】
【請求項１】
Ｄｅｍｕｘ回路を有するディスプレイパネルの駆動方法であって、
前記Ｄｅｍｕｘ回路内のスイッチのオン／オフ状態を制御するためのスイッチ信号を設定することと、
前記スイッチ信号の各立ち上がり期間を２つのフェーズに分割することとを含み、前記Ｄｅｍｕｘ回路内のスイッチは、前記スイッチ信号の前記立ち上がり期間中、オン状態を維持することを特徴とするディスプレイパネルの駆動方法。
【請求項２】
前記２つのフェーズは、第１のフェーズと第２のフェーズとを含み、前記第１のフェーズにおいて、前記スイッチ信号は、低電気レベルから前記低電気レベルと高電気レベルとの間の所定の電気レベルに変化し、前記スイッチ信号が前記所定の電気レベルにあるとき、前記スイッチは、前記オン状態を維持することを特徴とする請求項１に記載のディスプレイパネルの駆動方法。
【請求項３】
前記スイッチ信号は、前記第２のフェーズにおいて前記所定の電気レベルから前記高電気レベルに変化することを特徴とする請求項２に記載のディスプレイパネルの駆動方法。
【請求項４】
前記スイッチ信号が低電気レベルにおけるとき、前記スイッチは、前記オン状態を維持することを特徴とする請求項１に記載のディスプレイパネルの駆動方法。
【請求項５】
前記スイッチ信号が高電気レベルにおけるとき、前記スイッチは、前記オフ状態を維持することを特徴とする請求項１に記載のディスプレイパネルの駆動方法。
【請求項６】
前記スイッチは、薄膜トランジスタであることを特徴とする請求項１に記載のディスプレイパネルの駆動方法。
【請求項７】
駆動モジュールと、前記駆動モジュールに接続されたＤｅｍｕｘモジュールと、前記Ｄｅｍｕｘモジュールに接続された画素モジュールとを備え、
前記駆動モジュールは、前記Ｄｅｍｕｘモジュール内のスイッチのオン／オフ状態を制御するためのスイッチ信号を前記Ｄｅｍｕｘモジュールに出力し、前記スイッチ信号が立ち上がる各立ち上がり期間は、２つのフェーズに分割され、前記Ｄｅｍｕｘ回路内の前記スイッチは、前記スイッチ信号の前記立ち上がり期間中、オン状態を維持することを特徴とするディスプレイパネル。
【請求項８】
前記Ｄｅｍｕｘモジュールは、複数のＤｅｍｕｘ回路を含み、前記Ｄｅｍｕｘ回路のそれぞれは、スイッチと、寄生キャパシタと、結合キャパシタとを備え、前記寄生キャパシタの第１の極板は、前記スイッチに接続され、前記寄生キャパシタの第２の極板は、前記結合キャパシタの第１の極板に接続されていることを特徴とする請求項７に記載のディスプレイパネル。
【請求項９】
前記画素モジュールは、複数の画素回路を含み、前記画素回路の数量が、前記Ｄｅｍｕｘ回路の数量と同じであり、
前記画素回路のそれぞれは、Ｄｅｍｕｘ回路に接続されて、前記画素回路のそれぞれは、対応して接続されたＤｅｍｕｘ回路の結合キャパシタの第２の極板に接続されていることを特徴とする請求項８に記載のディスプレイパネル。
【発明の詳細な説明】
【技術分野】
【０００１】
本発明は、フラットパネルディスプレイ技術の分野に関し、詳しくは、ディスプレイパネルの駆動方法及びディスプレイパネルに関する。
【背景技術】
【０００２】
小型のディスプレイパネル、例えば、アクティブマトリックス有機発光ダイオード（active-matrix organic light emitting diode：ＡＭＯＬＥＤ）ディスプレイパネルは、視野角が広く、コントラストが高く、消費電力が小さく、軽量で薄い等の利点を有する。現在、ＡＭＯＬＥＤは、スマートウォッチやスマートウェア等の分野に広く応用されている。
【０００３】
スマートウェアに応用される場合、ＡＭＯＬＥＤディスプレイパネルには、小型サイズ及び高解像度が要求されるため、設計の観点からＤｅｍｕｘ回路が必要とされる。通常、Ｄｅｍｕｘ回路のスイッチ信号は、両側位置から中央位置に伝送される。また、ディスプレイパネルの配線は、形状や大きさ等の要素によって制約を受ける。したがって、配線の幅が狭くなり、この結果、両側位置と中央位置で輝度ムラが発生し、これは、中央位置におけるＳ方向（すなわち、列方向）ムラの発生として出現する。このため、製品の歩留まりが悪影響を受ける。
【０００４】
当業者は、Ｄｅｍｕｘ回路を有するディスプレイパネルを駆動する際に発生する輝度ムラの問題を解決するための解決策を模索している。
【発明の概要】
【発明が解決しようとする課題】
【０００５】
本発明の目的は、Ｄｅｍｕｘ回路を有するディスプレイパネルを駆動した際に生じる輝度ムラの問題を解決するディスプレイパネル駆動方法を提供することである。
【課題を解決するための手段】
【０００６】
前述の技術的問題を解決するために、本発明は、Ｄｅｍｕｘ回路を有するディスプレイパネルの駆動方法を提供し、この方法は、
Ｄｅｍｕｘ回路内のスイッチのオン／オフ状態を制御するための信号をスイッチ信号として設定することと、スイッチ信号の各立ち上がり期間を２つのフェーズに分割することとを含み、Ｄｅｍｕｘ回路のスイッチは、スイッチ信号の立ち上がり期間中、オン状態を維持する。
【０００７】
オプションとして、ディスプレイパネルの駆動方法において、２つのフェーズは、スイッチ信号が低電気レベルから所定の電気レベルに変化する第１のフェーズと、第２のフェーズとを含み、所定の電気レベルは、低電気レベルと高電気レベルとの間の電気レベルであり、スイッチ信号が所定の電気レベルにあるとき、スイッチは、オン状態を維持する。
【０００８】
オプションとして、ディスプレイパネルの駆動方法において、スイッチ信号は、第２のフェーズで所定の電気レベルから高電気レベルに変化する。
【０００９】
オプションとして、ディスプレイパネルの駆動方法において、スイッチ信号が低レベルのとき、スイッチがオン状態になる。
【００１０】
オプションとして、ディスプレイパネルの駆動方法において、スイッチ信号が高レベルのとき、スイッチがオフ状態になる。
【００１１】
オプションとして、ディスプレイパネルの駆動方法において、スイッチは、薄膜トランジスタである。
【００１２】
本発明は、更に、駆動モジュールと、駆動モジュールに接続されたＤｅｍｕｘ回路モジュールと、Ｄｅｍｕｘ回路モジュールに接続された画素回路モジュールとを含むディスプレイパネルを提供し、
駆動モジュールは、Ｄｅｍｕｘ回路モジュール内のスイッチのオン／オフ状態を制御するためのスイッチ信号をＤｅｍｕｘ回路モジュールに出力し、スイッチ信号が立ち上がる各立ち上がり期間は、２つのフェーズに分割され、Ｄｅｍｕｘ回路モジュール内のスイッチは、スイッチ信号の立ち上がり期間中、オン状態を維持する。
【００１３】
オプションとして、ディスプレイパネルにおいて、Ｄｅｍｕｘ回路モジュールは、複数のＤｅｍｕｘ回路を含み、各Ｄｅｍｕｘ回路は、スイッチ、寄生キャパシタ、及び結合キャパシタを有し、寄生キャパシタの第１の極板は、スイッチに接続され、寄生キャパシタの第２の極板は、結合キャパシタの第１の極板に接続されている。
【００１４】
オプションとして、ディスプレイパネルにおいて、画素回路モジュールは、複数の画素回路を含み、画素回路の数は、Ｄｅｍｕｘ回路の数と同じである。各画素回路は、結合キャパシタの第２の極板において対応するＤｅｍｕｘ回路に接続されている。
【００１５】
本発明が提供するディスプレイパネル駆動方法及びディスプレイパネルにおいて、Ｄｅｍｕｘ回路内のスイッチのオン／オフ状態を制御するための信号をスイッチ信号として設定し、スイッチ信号の各立ち上がり期間を２つのフェーズに分割することにより、ディスプレイパネルの両側位置とディスプレイパネルの中央位置とで発生する電圧ジャンプ効果を比較的均一にできる。これにより、ディスプレイパネルの異なる位置でも略同じ帯電効果が得られ、駆動されるディスプレイパネルの輝度も均一になり、ディスプレイパネルの列方向にムラが発生するという問題が効果的に緩和される。
【図面の簡単な説明】
【００１６】
【図１】Ｄｅｍｕｘ回路を有するディスプレイパネルの構造の概略図である。
【図２】従来技術におけるスイッチ信号のタイミングシーケンス図である。
【図３】従来技術における駆動信号、スイッチ信号、及びディスプレイパネルの両側位置の画素回路に書き込まれる電圧の変化の概略図である。
【図４】従来技術における駆動信号、スイッチ信号、及びディスプレイパネルの中央位置の画素回路に書き込まれる電圧の変化の概略図である。
【図５】本発明の一実施形態におけるスイッチ信号のタイミングシーケンス図である。
【図６】本発明の一実施形態における駆動信号、スイッチ信号、及びディスプレイパネルの両側位置の画素回路に書き込まれる電圧の変化の概略図である。
【図７】本発明の一実施形態における駆動信号、スイッチ信号、及びディスプレイパネルの中央位置の画素回路に書き込まれる電圧の変化の概略図である。
【図８】本発明の一実施形態におけるディスプレイパネルの構造の概略図である。
【発明を実施するための形態】
【００１７】
以下、本発明が提供するディスプレイパネルの駆動方法について、添付の図面及び特定の実施形態を参照して詳細に説明する。本発明の利点及び特徴は、以下の説明及び特許請求の範囲に基づいて、更に理解される。なお、添付の図面は、本発明の目的を説明するための便宜及び明確性のみを意図し、単純化された形式で描かれており、必ずしも一定の縮尺で示されてはいない。
【００１８】
図１は、Ｄｅｍｕｘ回路を有するディスプレイパネルの構造の概略図である。図１に示すように、ディスプレイパネルは、駆動源と、複数のＤｅｍｕｘ回路と、複数の画素回路とを含む。Ｄｅｍｕｘ回路の数は、画素回路の数と同じである。駆動源は、各Ｄｅｍｕｘ回路に接続され、各Ｄｅｍｕｘ回路は、対応する画素回路に接続されている。各Ｄｅｍｕｘ回路は、スイッチ（ＳＷ１、ＳＷ２、ＳＷ３、ＳＷ４、ＳＷ５、又はＳＷ６）、寄生キャパシタＣ１、及び結合キャパシタＣ２を含む。寄生キャパシタＣ１は、スイッチと結合キャパシタＣ２との間に配置され、結合キャパシタＣ２は、寄生キャパシタＣ１と画素回路との間に配置されている。
【００１９】
図１及び図２を参照して説明すると、既存のディスプレイパネルの駆動方法は、駆動のために、図２に示すようなタイミングシーケンスを有するスイッチ信号を使用する。スイッチのオン／オフ状態は、スイッチ信号によって制御され、スイッチ（例えば、薄膜トランジスタ（thin film transistor：ＴＦＴ））は、スイッチ信号が高電気レベルＶＧＨにあるときオフになり、スイッチ信号が低電気レベルＶＧＬにあるときオンになる。期間Ｔの後にスイッチ信号が低電気レベルＶＧＬから高電気レベルＶＧＨに変化すると、フィードスルー効果（すなわち電圧ジャンプ）が寄生キャパシタＣ１の一端の電圧を上昇させる。式Ｑ＝ＣＵから、上昇電圧は、以下の式で表され、これは、フィードスルー電圧とも呼ばれる。
【数１】
2019537070.tif 000003
【００２０】
寄生キャパシタＣ１のカップリング作用により、結合キャパシタＣ２の極板上の電荷量が増加し、駆動源から画素回路に書き込まれる電圧Ｖｄａｔａが上昇する。この場合、結合キャパシタＣ２に蓄えられる電圧は、Ｖｄａｔａ＋ΔＶとなる。
【００２１】
Ｄｅｍｕｘ回路を有するディスプレイパネルの中央位置にＳ方向ムラが出現するのは、以下の理由による。図４に示すように、スイッチ信号は、両端駆動信号（すなわち、ディスプレイパネルの両側からディスプレイパネルの中央に向かって駆動される信号）である。ディスプレイパネルの中央位置でのスイッチ信号は、インピーダンスの影響を受け、低電気レベルから高電気レベルに上昇するときに遅延する。このとき発生するフィードスルー電圧ΔＶは、スイッチ（例えば、ＴＦＴ）を介して部分的に解放される。したがって、両側位置（すなわち、中央位置に隣接する左右の位置）から画素回路に書き込まれる電圧Ｖｄａｔａ＋ΔＶ１（図３に示す）と比較して、中央位置から画素回路に書き込まれる電圧Ｖｄａｔａ＋ΔＶ２（図４に示す）は、低くなり、すなわち、ΔＶ２は、ΔＶ１よりも低くなる。この場合、ディスプレイパネルの中央にＳ方向のムラが出現する。ここで、ΔＶ１、ΔＶ２は、それぞれディスプレイの両側位置及び中央位置におけるフィードスルー電圧であり、ΔＶ１の値は、ΔＶ２の値よりも大きい。
【００２２】
Ｄｅｍｕｘ回路を有するディスプレイパネルの中央位置におけるＳ方向ムラの発生に関する上記の検討の結果に基づいて、本願は、図５に示すように、ディスプレイパネルを駆動するための新規な方法を提供し、この方法は、
Ｄｅｍｕｘ回路内のスイッチのオン／オフ状態を制御するための信号をスイッチ信号として設定することと、スイッチ信号の各立ち上がり期間を２つのフェーズに分割することとを含み、Ｄｅｍｕｘ回路のスイッチは、スイッチ信号の立ち上がり期間中、オン状態を維持する。ここで、スイッチ信号の立ち上がり期間とは、スイッチ信号が高電気レベルから低電気レベルに変化し、再び高電気レベルに変化するまでの期間である。２つのフェーズは、第１のフェーズと第２のフェーズを含む。第１のフェーズＴが終了すると、スイッチ信号は、低電気レベルから所定の電気レベルに変化し、ここで、所定のレベルは、低電気レベルと高電気レベルとの間の電気レベルである。更に、スイッチ信号が所定の電気レベルであるとき、スイッチは、オン状態を維持する。第２のフェーズＴ１が終了すると、スイッチ信号は、所定の電気レベルから高電気レベルに変化する。第１のフェーズＴと第２のフェーズＴ１を合わせた期間が立ち上がり期間となる。
【００２３】
Ｄｅｍｕｘ回路を有するディスプレイパネルの中央位置にＳ方向ムラが現れる問題は、主にスイッチ信号のタイミングシーケンスを変えることで解決される。具体的には、駆動動作を制御するために、図２に示すスイッチ信号に置き換えて図５に示すスイッチ信号を使用する。
【００２４】
図６及び図７に示す具体的なプロセスは、次のとおりである。
【００２５】
第１の期間Ｔの終わりに、スイッチ信号は、低電気レベルＶＧＬから所定の電気レベルＶｘに変化し（第１のフェーズに対応する）、以下のフィードスルー電圧を発生する。
【数２】
2019537070.tif 000004
【００２６】
具体的には、図６に示すように、ディスプレイの両側位置では、期間Ｔ１において、スイッチ信号は、所定の電気レベルＶｘにあり、スイッチは、オン状態を維持する。期間Ｔに対応するレベルＶＧＬを期間Ｔ１に対応する電気レベルＶｘに変化させることにより、フィードスルー電圧ΔＶａが生成される。ΔＶａの電荷の一部は、スイッチトランジスタを介して解放され、この結果、ディスプレイパネルの両側の画素回路に書き込まれる電圧は、Ｖｄａｔａ＋ΔＶ１’となり、ここで、ΔＶ１’は、ΔＶａより僅かに低い。
【００２７】
図７に示すように、ディスプレイの中央位置では、期間Ｔ１において、スイッチ信号は、所定の電気レベルＶｘにあり、スイッチは、オン状態を維持する。期間Ｔに対応する電気レベルＶＧＬを期間Ｔ１に対応する電気レベルＶｘに変化させることにより、フィードスルー電圧ΔＶｂが生成される。ΔＶｂの電荷の一部は、スイッチトランジスタを介して解放され、この結果、ディスプレイパネルの中央位置で画素回路に書き込まれる電圧は、Ｖｄａｔａ＋ΔＶ２’となり、ここで、ΔＶ２’は、ΔＶｂより僅かに低い。
【００２８】
以上の分析から、ディスプレイの中央位置におけるフィードスルー電圧ΔＶｂは、ディスプレイの両側位置におけるフィードスルー電圧ΔＶａよりも依然として低いが、（Ｖｘ−ＶＧＬ）の値が（ＶＧＨ−ＶＧＬ）の値より小さいため、ディスプレイパネルの両側位置及び中央位置におけるフィードスルー効果は、比較的均一となり、すなわち、ΔＶａの値とΔＶｂの値の差が小さくなることがわかる。したがって、中央位置から画素回路に書き込まれる電圧Ｖｄａｔａ＋ΔＶ２’（図７に示す）は、両側位置（すなわち、中央位置に隣接する左右の位置）から画素回路に書き込まれる電圧Ｖｄａｔａ＋ΔＶ１’に略等しくなり、このため、ディスプレイパネルの中央位置にＳ方向のムラが出現しなくなる。
【００２９】
本発明は、更に、図８に示すように、ディスプレイパネルを提供する。ディスプレイパネルは、駆動モジュールと、駆動モジュールに接続されたＤｅｍｕｘモジュールと、Ｄｅｍｕｘモジュールに接続された画素モジュールとを含む。駆動モジュールは、Ｄｅｍｕｘモジュール内のスイッチのオン／オフ状態を制御するためのスイッチ信号をＤｅｍｕｘモジュールに出力する。スイッチ信号の各立ち上がり期間は、２つのフェーズに分割され、その間にスイッチ信号が立ち上がり、Ｄｅｍｕｘモジュール内のスイッチは、スイッチ信号の立ち上がり期間中、オン状態を維持する。
【００３０】
Ｄｅｍｕｘモジュールは、複数のＤｅｍｕｘ回路を含む。各Ｄｅｍｕｘ回路は、スイッチと、寄生キャパシタと、及び結合キャパシタとを含む。寄生キャパシタの第１の極板は、スイッチに接続され、寄生キャパシタの第２の極板は、結合キャパシタの第１の極板に接続されている。
【００３１】
画素モジュールは、複数の画素回路を含み、画素回路の数量は、Ｄｅｍｕｘ回路の数量と同じである。各画素回路は、対応するＤｅｍｕｘ回路の結合キャパシタの第２の極板において、対応するＤｅｍｕｘ回路に接続されている。
【００３２】
結論として、本発明が提供するディスプレイパネル駆動方法及びディスプレイパネルは、Ｄｅｍｕｘ回路内のスイッチのオン／オフ状態を制御するための信号をスイッチ信号として設定し、スイッチ信号の各立ち上がり期間を２つのフェーズに分割することにより、ディスプレイパネルの両側位置とディスプレイパネルの中央位置とで発生する電圧ジャンプ効果を比較的均一にできる。これにより、ディスプレイパネルの異なる位置でも略同じ帯電効果が得られ、駆動されるディスプレイパネルの輝度も均一になり、ディスプレイパネルの列方向にムラが発生するという問題が効果的に緩和される。
【００３３】
以上の説明は、単に本発明の好ましい実施形態の説明であり、本発明の範囲を限定する意図はない。以上の開示に基づいて当業者が行う如何なる変更又は修正も特許請求の範囲の範囲に含まれる。
【図１】
2019537070.tif 000005
【図２】
2019537070.tif 000006
【図３】
2019537070.tif 000007
【図４】
2019537070.tif 000008
【図５】
2019537070.tif 000009
【図６】
2019537070.tif 000010
【図７】
2019537070.tif 000011
【図８】
2019537070.tif 000012
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
Ｄｅｍｕｘ回路を有するディスプレイパネルの駆動方法であって、
前記Ｄｅｍｕｘ回路内のスイッチのオン／オフ状態を制御するためのスイッチ信号を設定することと、
前記スイッチ信号の各立ち上がり期間を２つのフェーズに分割することとを含み、前記Ｄｅｍｕｘ回路内のスイッチは、前記スイッチ信号の前記立ち上がり期間中、オン状態を維持することを特徴とするディスプレイパネルの駆動方法。
【請求項２】
前記２つのフェーズは、第１のフェーズと第２のフェーズとを含み、前記第１のフェーズにおいて、前記スイッチ信号は、低電気レベルから前記低電気レベルと高電気レベルとの間の所定の電気レベルに変化し、前記スイッチ信号が前記所定の電気レベルにあるとき、前記スイッチは、前記オン状態を維持することを特徴とする請求項１に記載のディスプレイパネルの駆動方法。
【請求項３】
前記スイッチ信号は、前記第２のフェーズにおいて前記所定の電気レベルから前記高電気レベルに変化することを特徴とする請求項２に記載のディスプレイパネルの駆動方法。
【請求項４】
前記スイッチ信号が低電気レベルにおけるとき、前記スイッチは、前記オン状態を維持し、
前記スイッチ信号が高電気レベルにおけるとき、前記スイッチは、前記オフ状態を維持し、
前記スイッチは、薄膜トランジスタであることを特徴とする請求項１に記載のディスプレイパネルの駆動方法。
【請求項５】
駆動モジュールと、前記駆動モジュールに接続されたＤｅｍｕｘモジュールと、前記Ｄｅｍｕｘモジュールに接続された画素モジュールとを備え、
前記駆動モジュールは、前記Ｄｅｍｕｘモジュール内のスイッチのオン／オフ状態を制御するためのスイッチ信号を前記Ｄｅｍｕｘモジュールに出力し、前記スイッチ信号が立ち上がる各立ち上がり期間は、２つのフェーズに分割され、前記Ｄｅｍｕｘ回路内の前記スイッチは、前記スイッチ信号の前記立ち上がり期間中、オン状態を維持することを特徴とするディスプレイパネル。
【請求項６】
前記Ｄｅｍｕｘモジュールは、複数のＤｅｍｕｘ回路を含み、前記Ｄｅｍｕｘ回路のそれぞれは、スイッチと、寄生キャパシタと、結合キャパシタとを備え、前記寄生キャパシタの第１の極板は、前記スイッチに接続され、前記寄生キャパシタの第２の極板は、前記結合キャパシタの第１の極板に接続されていることを特徴とする請求項５に記載のディスプレイパネル。
【請求項７】
前記画素モジュールは、複数の画素回路を含み、前記画素回路の数量が、前記Ｄｅｍｕｘ回路の数量と同じであり、
前記画素回路のそれぞれは、Ｄｅｍｕｘ回路に接続されて、前記画素回路のそれぞれは、対応して接続されたＤｅｍｕｘ回路の結合キャパシタの第２の極板に接続されていることを特徴とする請求項６に記載のディスプレイパネル。
【国際調査報告】
2019537070.tif 000013
2019537070.tif 000014
2019537070.tif 000015
2019537070.tif 000016